(57)【要約】【課題】  簡単な操作で記録媒体に記録されている情報データをダビング可能とする。【解決手段】  第１の記録媒体及び第２の記録媒体に記録された情報データを再生可能な再生装置より伝送路を介して受信した情報データを第３の記録媒体に記録する装置であって、ダビング開始の指示に応じて、前記第１の記録媒体に記録されている第１の情報データ及び、前記第２の記録媒体に記録されている第２の情報データをそれぞれ前記第１の記録媒体及び第２の記録媒体より再生して前記伝送路を介して送信するよう前記記録装置を制御する制御手段と、前記ダビング開始の指示に伴い前記再生装置により前記第１の記録媒体及び第２の記録媒体からそれぞれ再生され、前記伝送路を介して送信された情報データを前記第３の記録媒体に記録する記録手段とを備える。【選択図】  図６
2007013779.tif 000002
【特許請求の範囲】
【請求項１】
第１の記録媒体及び第２の記録媒体に記録された情報データを再生可能な再生装置より伝送路を介して受信した情報データを第３の記録媒体に記録する装置であって、
ダビング開始の指示に応じて、前記第１の記録媒体に記録されている第１の情報データ及び、前記第２の記録媒体に記録されている第２の情報データをそれぞれ前記第１の記録媒体及び第２の記録媒体より再生して前記伝送路を介して送信するよう前記記録装置を制御する制御手段と、
前記ダビング開始の指示に伴い前記再生装置により前記第１の記録媒体及び第２の記録媒体からそれぞれ再生され、前記伝送路を介して送信された情報データを前記第３の記録媒体に記録する記録手段とを備える信号処理装置。
【請求項２】
前記制御手段は、前記第２の情報データのうち前記第１の情報データに関連する情報データを選択し、前記選択した情報データを前記第２の記録媒体から再生して送信するよう前記再生装置を制御することを特徴とする請求項１記載の信号処理装置。
【請求項３】
前記制御手段は、前記第１の情報データの付加情報に基づき、前記第２の情報データより前記第１の情報データに関連した情報データを選択し、前記選択した情報データを前記第２の記録媒体より再生して送信するよう前記再生装置を制御することを特徴とする請求項２記載の信号処理装置。
【請求項４】
前記制御手段は前記ダビング開始の指示に応じて前記第１の記録媒体に記録されている全ての前記第１の情報データを再生して送信するよう前記再生装置を制御すると共に、前記第２の記録媒体に記録されている前記第２の情報データのうち前記選択した情報データのみを再生して送信するよう前記再生装置を制御することを特徴とする請求項３記載の信号処理装置。
【請求項５】
前記制御手段は、前記第１の情報データの記録日時情報と前記第２の情報データの記録日時情報とに基づき、前記第２の情報データのうち前記第１の情報データに関連した情報データを選択することを特徴とする請求項３記載の信号処理装置。
【請求項６】
前記第１の情報データは動画像データであり、前記第２の情報データは静止画像データであり、前記静止画像データはそれぞれディレクトリに格納されて記録されており、前記記録手段は前記第２の記録媒体から再生された静止画像データを前記第２の記録媒体におけるディレクトリの構成を保持したまま前記第３の記録媒体に記録することを特徴とする請求項１記載の信号処理装置。
【請求項７】
前記制御手段は更に、前記第２の記録媒体から再生された静止画像データより動画像データを生成して前記第３の記録媒体に記録するよう前記記録手段を制御することを特徴とする請求項６記載の信号処理装置。
【請求項８】
前記伝送路を介して前記再生装置との間でデータを送受信するための通信手段を備え、前記制御手段は前記再生装置より送信されたダビング開始コマンドを前記通信手段を介して受信すると共に、前記再生装置に対する前記情報データの再生及び送信の制御コマンドを前記通信手段を介して送信することを特徴とする請求項１記載の信号処理装置。
【請求項９】
前記制御手段は更に、前記第３の記録媒体に対する前記情報データのダビング処理の終了後、前記第３の記録媒体に対するファイナライズ処理を実行するよう前記記録手段を制御することを特徴とする請求項１記載の信号処理装置。
【発明の詳細な説明】
【技術分野】
【０００１】
本発明は信号処理装置に関し、特に外部の再生装置により記録媒体から再生されて送信された情報データを受信して他の記録媒体に記録する装置に関する。
【背景技術】
【０００２】
従来、デジタルカメラやビデオカメラ等、撮影した画像データをデジタルデータとしてメモリカードや磁気テープなどに記録再生する装置が知られている。また、近年では、ＤＶＤなどの光ディスクに対して撮影した画像データを記録再生するディスクビデオカメラも登場している。また、メモリカードスロットを備え、光ディスクに加えてメモリカードにも画像データを記録再生可能なビデオカメラも登場している。
【０００３】
この様なディスクビデオカメラで用いられる光ディスクやメモリカードは比較的高価であるため、記録した画像データを大容量の記録メディアにコピーした後、ディスクのデータを消去して繰り返し使用することが考えられる。
【０００４】
具体的には、光ディスクやメモリカードに記録された画像データをパーソナルコンピュータ（ＰＣ）に送信し、ＰＣに内蔵、あるいは装着された大容量のハードディスクドライブ（ＨＤＤ）あるいは光ディスクに保存する方法が考えられる（例えば、特許文献１参照）。
【０００５】
この場合、ユーザはＰＣとデジタルカメラやビデオカメラをＵＳＢやＩＥＥＥ１３９４の様な高速シリアルインターフェイスで接続し、メモリカードや光ディスクに記録されたデータをＰＣに内蔵、あるいは装着された大容量記録装置に転送して保存する。その際、ユーザはＰＣ上のアプリケーションによって、ソースの記録媒体から大容量記録装置への転送を指定して実行することが一般的である。
【特許文献１】特開２００２−０８２７７７
【発明の開示】
【発明が解決しようとする課題】
【０００６】
前述の様に、ビデオカメラに装着されているディスクに記録されているデータをＰＣの大容量記録メディアに転送し保存するためには、ユーザはＰＣ側でデータ保存アプリケーションを操作しなければならない。
【０００７】
この様なＰＣのアプリケーションの操作は複雑であり、ＰＣを使用することが少ないユーザにとっては制御がわずらわしい。
【０００８】
即ち、ユーザは、ＰＣを制御することなく、ビデオカメラを制御することだけで装着された記録媒体に記録されたデータを大容量記録装置に転送し、保存することが望まれる。
【０００９】
また、光ディスクの他、メモリカードに対しても画像データを記録再生可能なビデオカメラにおいては、ディスクに記録された動画像データに関連した静止画像データをメモリカードに記録するという使い方も考えられる。
【００１０】
しかしながら、光ディスクに記録された動画像データをＰＣに送信してダビングした後、メモリカードに記録された静止画像データをダビング使用とした場合、ユーザは、光ディスクのダビング操作とは別にメモリカード内でダビングしたい静止画像データを選択し、ＰＣに送信するという操作を行う必要があり、非常に使い勝手が悪かった。
【００１１】
本発明はこの様な問題を解決し、簡単な操作で記録媒体に記録されている情報データを他の記録媒体にダビング可能な装置を提供することを目的とする。
【課題を解決するための手段】
【００１２】
本発明の信号処理装置は、第１の記録媒体及び第２の記録媒体に記録された情報データを再生可能な再生装置より伝送路を介して受信した情報データを第３の記録媒体に記録する装置であって、ダビング開始の指示に応じて、前記第１の記録媒体に記録されている第１の情報データ及び、前記第２の記録媒体に記録されている第２の情報データをそれぞれ前記第１の記録媒体及び第２の記録媒体より再生して前記伝送路を介して送信するよう前記記録装置を制御する制御手段と、前記ダビング開始の指示に伴い前記再生装置により前記第１の記録媒体及び第２の記録媒体からそれぞれ再生され、前記伝送路を介して送信された情報データを前記第３の記録媒体に記録する記録手段とを備える。
【発明の効果】
【００１３】
本発明によれば、簡単な操作で複数の記録媒体に記録されている情報データを一つの記録媒体にダビング可能となる。
【発明を実施するための最良の形態】
【００１４】
以下、本発明にかかる実施形態を詳細に説明する。
【００１５】
図１は、本実施形態のデータ伝送システムの一構成例である。
【００１６】
図１のシステムは、ＤＶＤ−ＲＡＭ（８ｃｍ）等の光ディスク１０２に対して撮影した画像データを記録再生するビデオカメラ１０１と、大容量のＤＶＤ−ＲＡＭ（５インチ）等の大容量光ディスク１０７に対してデータを記録再生するための記録再生ドライブ１０６を有するＰＣ１０５から構成される。
【００１７】
ビデオカメラ１０１とＰＣ１０５はそれぞれ、ＵＳＢインターフェイスを備え、これらのＵＳＢインターフェイスにＵＳＢケーブル１０４を接続することでデータの伝送を実現している。本実施形態においては、ＵＳＢの伝送プロトコルとしてはマスストレージを用いる場合を説明する。また本実施形態においては、光ディスク１０２に記録されたデータをＰＣ１０５に転送し、大容量光ディスク１０７に記録することが可能である。
【００１８】
図２はビデオカメラ１０１の要部構成を示すブロック図である。
【００１９】
撮像部２０１は被写体を撮影して動画像データを生成し、バス２１３に出力する。信号処理部２０２は、記録時においては撮像部２０１から出力された動画像データを周知の符号化方式で符号化し、記録再生制御部２１２に出力し、再生時においてはディスクＤ１から再生された動画像データを復号して表示制御部２１０に出力する。ＣＰＵ２０３はバス２１４を介して各構成要素と接続され、メイン制御部２０３上で動作するソフトウェアによって各構成要素の制御指示を行う。通信制御部２０４は、外部の機器、すなわち図１におけるＰＣ１０５とＵＳＢデバイスコネクタ２０５を介してＵＳＢケーブル１０４で接続された場合に、マスストレージ規格に従って通信制御を行う。２０６は内部メモリで、メイン制御部２０３にて用いる各種のソフトウェアや、ＰＣ１０５から送信された各種の情報などを記憶する。
【００２０】
入力操作制御部２０７は、操作部２０８に対してユーザが入力を行った場合のキー情報を判別し、メイン制御部２０３上で動作するソフトウェアに対して通知する。また操作部２０８は、点灯可能なＬＥＤが埋め込まれた形式のボタン２０９が具備されている。このボタン２０９は、ビデオカメラ１０１がＵＳＢケーブル１０４でＰＣ１０２に接続した際に、ユーザがダビングの開始を指示するための機能を持つと共に、ＬＥＤの点灯状態によってＰＣ１０２によるダビングが可能な状態であるか否かをユーザに知らせる機能を持つ。
【００２１】
表示制御部２１０は表示部２１１に対して表示する映像を生成し表示を制御する。ディスクＩ／Ｆ２１２は、光ディスク１０２に対して、撮影したデータの記録、再生、また読み出したデータを内部メモリ２０６に転送する制御を行う。メモリカードＩ／Ｆ２１３は、メモリカード１０３に対して撮影した画像データの書き込み、読み出しを制御する。読み出されたデータは、通信制御部２０４を介して外部に送信するか、表示制御部２１１を介して表示部へ転送される。
【００２２】
ＰＣ１０５の主要部のブロック構成図を図３に示す。
【００２３】
図示のように、ＰＣ１０５は、装置全体の制御を司るメイン制御部（ＣＰＵで構成される）３０１、オペレーティングシステム（ＯＳ）や各種アプリケーションをロードしたり、光ディスクＤ２に対してデータを書き込む際にバッファ領域として使用される内部メモリ３０２、ＯＳ、及び、本実施形態で用いる記録再生ドライブ１０３の制御用のアプリケーションを含む各種のアプリケーションプログラムを格納するハードディスクドライブ（ＨＤＤ）３０３、マウス等のポインティングデバイスやキーボードで構成される入力装置３０５からの入力を受けてメイン制御部３０１に出力する入力操作制御部３０４、ＵＳＢホストコネクタ３０７を介してデータを送受信する通信制御部３０６、ＣＲＴや液晶表示器等で構成される表示部３０９へのビデオ信号を出力したり、メイン制御部３０１からの要求に対して内部のビデオメモリへの描画する表示制御部３０８、各機能ブロックの間でデータを送受信するデータバス３１０を備える。
【００２４】
以上、実施形態におけるビデオカメラ１０１及びＰＣ１０５の構成について説明した。次に、実施形態における処理について説明する。
【００２５】
本実施形態におけるＨＤＤ３０３に格納されているアプリケーションプログラムは、以下の二つのプログラムモジュールＡ、Ｂで構成される。それぞれのプログラムは次のような機能を果たす。
【００２６】
モジュールＡ：ビデオカメラとの間でステータス通信を行うプログラム
モジュールＢ：ビデオカメラから送信された画像データの受信、及び、光ディスクＤ２への書き込み処理（ダビング処理）を行うプログラム
本実施形態では、これらのモジュールによって、ビデオカメラ１０１とＰＣ１０５とがＵＳＢケーブル１０４で接続され、書き込み可能な光ディスク１０７が記録再生ドライブ１０６に装着されていることを判別する機能と、自動的にビデオカメラ１０１に装着された光ディスク１０２に記憶された全てのデータファイルとメモリカード１０３に記録された静止画像データをＰＣ１０５に送信して光ディスク１０７に書き込むダビング機能を実現する。
【００２７】
なお、実施形態のアプリケーションにとってビデオカメラの機種名は既知である。ＵＳＢインターフェイスは、元々、ホットプラグアンドプレイとして策定されたインターフェイスであり、ＵＳＢホストコネクタ３０７にＵＳＢケーブル１０４を介してビデオカメラ１０１を接続すると、マスストレージ通信を確立する。この通信確立の手順は公知である。
【００２８】
この際、ＯＳは、その接続されたデバイスを認識することになり、そのデバイス名も取得する。
【００２９】
まず、モジュールＡの処理について説明する。図５はＰＣ１０５のＨＤＤ３０３に格納されているアプリケーションプログラムのうち、モジュールＡの処理手順を示すフローチャートである。
【００３０】
先ず、ステップＳ５０１では、接続されたＵＳＢデバイスが、既知のビデオカメラ１０１であるか否かを判定する。否の場合には、本処理を終了する。
【００３１】
また、ビデオカメラ１０１が接続されたと判定した場合には、ステップＳ５０２に進んで、記録再生ドライブ１０６が接続されているか否かを判別し、記録再生ドライブ１０６が接続されていた場合、更に、ステップＳ５０３にて記録再生ドライブ１０６に書き込み可能な光ディスク１０７が装着されているか否かを判定する。
【００３２】
記録可能な光ディスク１０７が装着されていると判断した場合、ステップＳ５０４において、ビデオカメラ１０１の操作部２０８のいずれかのボタンが押下されているかどうかのステータスを通信制御部３０６を介して定期的にポーリングする。そして、レスポンスデータを調べて、操作部２０８のダビングボタン２０９が操作された場合、ステップＳ５０５に進み、ダビング処理を制御するモジュールＢを起動する。
【００３３】
図６はモジュールＢの処理手順を示すフローチャートである。
【００３４】
ステップＳ６０１で、マスストレージクラスプロトコルを使って、ビデオカメラ１０１に装着されている光ディスク１０２に記録されているの全ての画像データを読み込み、光ディスク１０７へ書き込む。この際、光ディスク１０２に記録されている全ての画像データの属性、例えば、画像データの記録日時等を内部メモリ３０２に記録しておく。
【００３５】
その後、ステップＳ６０２に進み、通信制御部３０６を介してコマンドを送信し、ビデオカメラ１０１にメモリカード１０３が装着されているか否かを問い合わせる。ビデオカメラ１０１のＣＰＵ２０３はカードＩ／Ｆ２１３を制御してメモリカード１０３がビデオカメラ１０１に装着されているか否かを判断し、前記コマンドデータに対するレスポンスデータとして返答する。
【００３６】
モジュールＢでは前記レスポンスデータを調べて、ビデオカメラ１０１にメモリカード１０３が装着されているか否かを判断する。メモリカード１０３が装着されていなければステップＳ６０４に進み、装着されていればステップＳ６０３に進んでダビング処理を継続する。
【００３７】
ここで、図４を参照して、メモリカード１０２内の画像データのファイル構成を説明する。メモリカード２１０には、図４に示した形式で画像ファイルが記録されている。図４では、まず、ルートディレクトリの直下にＤＣＦイメージルートディレクトリであるＤＣＩＭディレクトリが作られる。ＤＣＩＭディレクトリの下に複数のディレクトリが作られる。ディレクトリ名は８文字で構成され、最初の３文字はディレクトリ番号を表し、“１００”〜“９９９”までの数字、次の５文字は自由文字であり任意の文字列である。図４では仮にディレクトリ名を“１００ＣＡＮＯＣ”、“１０１ＣＡＮＯＣ”としている。そして、各ディレクトリの下に画像データ（図４ではＪＰＥＧデータ）が格納される。
【００３８】
ステップＳ６０３では、マスストレージクラスに従い、メモリカード１０２内の画像データの属性情報、例えば画像データの記録日時を調べる。そして、ステップＳ６０１にて光ディスク１０２の画像データを読み込んだ際に内部メモリ３０２に記録しておいた各画像データの記録日時とメモリカード１０３に記録された画像データの記録日時とを比較し、メモリカード１０２内の画像データのうち、光ディスク１０２内の画像データの記録日時の範囲内に記録された画像データファイルを検索する。
【００３９】
そして、検索した画像データファイルがメモリカード１０３内に存在する場合には、それらの画像データファイルを全てマスストレージクラスプロトコルを使って読み込み、光ディスク１０７へ書き込む。
【００４０】
ここで、静止画ファイル（ＪＰＥＧデータ）を光ディスク１０７に書き込む際には、図４のディレクトリ構成を保持したまま書き込む。そして、ステップＳ６０４において、ダビング先のディスク１０７がＤＶＤ−Ｒディスクであるか否かを判別し、ＤＶＤ−Ｒディスクであった場合、ステップＳ６０５において、ファイナライズ処理を実行する。また、ＤＶＤ−Ｒ以外のディスク、例えば、ＤＶＤ−ＲＡＭやＤＶＤ−ＲＷディスクであった場合にはそのまま処理を終了する。
【００４１】
以上説明したように、上記の実施形態によれば、光ディスクとメモリカードといった複数の記録媒体を備えた撮像装置において、一方の記録媒体に記録されているデータファイルを接続先のＰＣの持つ記録媒体にダビングする時に、そのデータファイルと関連のあるもう一方の記録媒体に記録されているデータファイルも同時にダビングすることにより、ダビング先の記録媒体の空き容量を有効に利用することが可能となる。
【００４２】
なお、図６のモジュールＢの処理において、メモリカード１０３に記録された画像データをディスク１０７にダビングする際、ダビング先のディスクがＤＶＤ−Ｒであるか否かを判別し、ＤＶＤ−Ｒであった場合、一般的なＤＶＤビデオプレーヤにてダビングした静止画像を再生することができるよう、静止画ファイルをＭＰＥＧ−２形式に変換して光ディスク１０７に書き込むことも可能である。
【図面の簡単な説明】
【００４３】
【図１】本発明の実施形態としての記録再生システムを示す図である。
【図２】実施形態におけるビデオカメラのブロック図である。
【図３】実施形態におけるＰＣのブロック図である。
【図４】実施形態におけるメモリカード内のファイル構成を示した図である。
【図５】実施形態におけるプログラムモジュールの処理を示すフローチャートである。
【図６】実施形態におけるプログラムモジュールの処理を示すフローチャートである。
【図１】
2007013779.tif 000003
【図２】
2007013779.tif 000004
【図３】
2007013779.tif 000005
【図４】
2007013779.tif 000006
【図５】
2007013779.tif 000007
【図６】
2007013779.tif 000008